(57)【要約】  【課題】出力電圧にオーバーシュートが発生することなく、電源投入後から起動完了までの時間を短くすることができるスイッチングレギュレータを提供する。  【解決手段】電源投入後、出力電圧Ｖｏが所定の電圧まで大きくなると、過電流検知レベル切替回路１３がこれを検出して、過電流検知レベルを小さい値に切り替え、スイッチング電流を小さくする。そして、出力電圧Ｖｏがさらに大きくなり、次の所定電圧になると、過電流検知レベル切替回路１３は過電流検知レベルを定常時の過電流検知レベルに切り替える。  このように、電源投入当初は過電流検知レベルを大きい値とし、スイッチングレギュレータの出力電圧が所定の大きさまでなったときに、過電流検知レベルを小さい値にすることにより定常状態到達の直前のスイッチング電流を小さくすることができ、出力電圧のオーバーシュートを防止することができる。  【選択図】図１
2005198401.tif 000002
【特許請求の範囲】
【請求項１】
過電流検出手段と、
出力電圧に応じたパルス幅のパルスを発生するとともに、上記過電流検出手段の出力により制御されるパルス発生手段と、
上記パルス発生手段の出力により制御されるスイッチング手段とを備えたスイッチングレギュレータにおいて、
上記過電流検出手段が過電流検知レベル切替手段を備え、
上記過電流検知レベル切替手段がスイッチングレギュレータの出力電圧に応じて過電流検知レベルを切り替えることを特徴とするスイッチングレギュレータ。
【請求項２】
請求項１に記載のスイッチングレギュレータにおいて、
上記スイッチングレギュレータの出力電圧を分圧する分圧手段を備え、
上記過電流検知レベル切替手段が上記分圧手段の出力により過電流検知レベルを切り替えることを特徴とするスイッチングレギュレータ。
【請求項３】
請求項１に記載のスイッチングレギュレータにおいて、
上記パルス発生手段がスイッチングレギュレータの出力電圧と基準電圧との誤差を増幅する誤差増幅手段を備え、
上記過電流検知レベル切替手段が上記誤差増幅手段の出力により過電流検知レベルを切り替えることを特徴とするスイッチングレギュレータ。
【請求項４】
請求項１に記載のスイッチングレギュレータにおいて、
上記パルス発生手段がスイッチングレギュレータの出力電圧と基準電圧との誤差を増幅する誤差増幅手段と、上記誤差増幅手段の出力と基準三角波信号とを比較する比較手段を備え、
上記過電流検知レベル切替手段が上記比較手段の出力により過電流検知レベルを切り替えることを特徴とするスイッチングレギュレータ。
【請求項５】
請求項１〜請求項４のいずれかに記載のスイッチングレギュレータにおいて、
上記過電流検知レベル切替手段が、過電流検知レベルをステップ状に切り替えることを特徴とするスイッチングレギュレータ。
【請求項６】
請求項１〜請求項４のいずれかに記載のスイッチングレギュレータにおいて、
上記過電流検知レベル切替手段が、過電流検知レベルを階段状に切り替えることを特徴とするスイッチングレギュレータ。
【請求項７】
請求項１〜請求項４のいずれかに記載のスイッチングレギュレータにおいて、
上記過電流検知レベル切替手段が、過電流検知レベルを一定の傾きで変化させることを特徴とするスイッチングレギュレータ。
【請求項８】
請求項１〜請求項４のいずれかに記載のスイッチングレギュレータにおいて、
上記過電流検知レベル切替手段が、過電流検知レベルを指数関数的に変化させることを特徴とするスイッチングレギュレータ。
【請求項９】
請求項１〜請求項４のいずれかに記載のスイッチングレギュレータにおいて、
上記過電流検知レベル切替手段がスイッチングレギュレータの出力電圧に応じて過電流検知レベルを復帰させることを特徴とするスイッチングレギュレータ。
【請求項１０】
請求項９に記載のスイッチングレギュレータにおいて、
上記スイッチングレギュレータの出力電圧を分圧する分圧手段を備え、
上記過電流検知レベル切替手段が上記分圧手段の出力により過電流検知レベルを復帰させることを特徴とするスイッチングレギュレータ。
【請求項１１】
請求項９に記載のスイッチングレギュレータにおいて、
上記パルス発生手段がスイッチングレギュレータの出力電圧と基準電圧との誤差を増幅する誤差増幅手段を備え、
上記過電流検知レベル切替手段が上記誤差増幅手段の出力により過電流検知レベルを復帰させることを特徴とするスイッチングレギュレータ。
【請求項１２】
請求項９に記載のスイッチングレギュレータにおいて、
上記パルス発生手段がスイッチングレギュレータの出力電圧と基準電圧との誤差を増幅する誤差増幅手段と、上記誤差増幅手段の出力と基準三角波信号とを比較する比較手段を備え、
上記過電流検知レベル切替手段が上記比較手段の出力により過電流検知レベルを復帰させることを特徴とするスイッチングレギュレータ。
【請求項１３】
請求項９〜請求項１２のいずれかに記載のスイッチングレギュレータにおいて、
上記過電流検知レベル切替手段が、過電流検知レベルをステップ状に復帰させることを特徴とするスイッチングレギュレータ。
【請求項１４】
請求項９〜請求項１２のいずれかに記載のスイッチングレギュレータにおいて、
上記過電流検知レベル切替手段が、過電流検知レベルを階段状に復帰させることを特徴とするスイッチングレギュレータ。
【請求項１５】
請求項９〜請求項１２のいずれかに記載のスイッチングレギュレータにおいて、
上記過電流検知レベル切替手段が、過電流検知レベルを一定の傾きで復帰させることを特徴とするスイッチングレギュレータ。
【請求項１６】
請求項９〜請求項１２のいずれかに記載のスイッチングレギュレータにおいて、
上記過電流検知レベル切替手段が、過電流検知レベルを指数関数的に復帰させることを特徴とするスイッチングレギュレータ。
【発明の詳細な説明】
【技術分野】
【０００１】
本発明は、スイッチングレギュレータに関し、特に、スイッチングレギュレータの起動時における出力電圧のオーバーシュートを抑制することができるスイッチングレギュレータに関する。
【背景技術】
【０００２】
スイッチングレギュレータはスイッチング素子のスイッチングのデューティ比によって所望の出力電圧を得ることができるので、入出力間の電圧差が大きい用途で効率がよいという利点があり、広く採用されている。
このスイッチングレギュレータには、通常、加熱保護、過電流保護などの保護回路が内蔵されている。過電流保護の方式としては、スイッチング素子に流れるスイッチング電流を検出するスイッチング電流検出手段を設け、そのスイッチング電流が予め定めた過電流検出レベル以上になると、過電流保護回路によりスイッチング素子をオフし、次の周期までスイッチング素子をオフの状態に保持する方式が一般的である（例えば、特許文献１参照。）。
【特許文献１】特開平６−２６１５４２号公報
【０００３】
図８は従来の過電流保護機能を備えたスイッチングレギュレータの構成を示す図であり、このスイッチングレギュレータは、図に示すように、過電流検知回路１、スイッチング回路２、出力回路３、抵抗分圧回路４、パルス幅変調（ＰＷＭ）パルス発生回路５により構成されている。
このスイッチングレギュレータにおいて、スイッチング回路２のＰチャンネルのＭＯＳＦＥＴトランジスタＱ１に流れるスイッチング電流、すなわち、コイル電流が抵抗Ｒ１により検出され増幅器１１を介して比較器１２に入力される。このスイッチング電流に対応した電圧が基準電圧Ｖ１より大きくなると、比較器１２の出力がハイレベルとなる。
【０００４】
一方、出力回路３の出力端子の出力電圧Ｖｏは抵抗分圧回路４により分圧され、この抵抗分圧回路４の出力が誤差増幅器１４に入力され、基準電圧Ｖ２と抵抗分圧回路４の出力との誤差電圧が誤差増幅器１４から出力される。この誤差電圧と基準三角波発生回路１５からの基準三角波が比較器１６に入力されるので、誤差電圧で基準三角波がスライスされ、スライスされた幅のＰＷＭパルスが比較器１６から出力される。
【０００５】
また、フリップフロップ（Ｆ−Ｆ）回路１７は基準三角波の立ち上がりでリセットされるとともに、比較器１２の出力によりセットされる。このフリップフロップ回路１７の出力が比較器１６の出力パルスとともにＮＡＮＤ回路１８に入力され、ＮＡＮＤ回路１８の出力によりトランジスタＱ１がオン／オフされる。これにより、抵抗分圧回路４により分圧された電圧が基準電圧Ｖ２に一致するようにトランジスタＱ１がオン／オフ制御されて出力電圧Ｖｏが一定電圧に制御される。
【０００６】
次に、このスイッチングレギュレータの電源投入時の作用を図９の波形図を用いて説明する。
スイッチングレギュレータの電源をオンにすると、出力電圧は図９（ｇ）に示すように一定の傾斜で上昇していくが、電源をオンにした当初は出力電圧Ｖｏが小さく、誤差増幅器１４の出力が低い状態にあるので、比較器１６の出力は図９（ｄ）に示すように、ハイレベルを保った状態にある。一方、電源オンの当初はコイルＬに流れるコイル電流、すなわち、スイッチング電流が、図９（ｂ）に示すように大きいので、このスイッチング電流が過電流検出レベル（基準電圧Ｖ１）以上になると、過電流検知回路１の比較器１２がハイレベルを出力し、これによってフリップフロップ回路１７がセットされる。これにより、図９（ｃ）に示すように、フリップフロップ回路17の反転出力がローレベルに切り替わり、ＮＡＮＤ回路１８の出力がハイレベルとなってトランジスタＱ１をオフし、三角波の次の周期でフリップフロップ回路１７がリセットされるまでトランジスタＱ１はオフし続ける。
【０００７】
そして、出力電圧Ｖｏが大きくなり、スイッチング電流が小さくなると、スイッチング電流は過電流検知レベル以下となり、比較器１２は常にローレベルを出力するので、フリップフロップ回路１７はリセットされたままとなり、その反転出力は図９（ｃ）に示すようにハイレベルの状態を維持する。したがって、ＮＡＮＤ回路１８から比較器１６の出力パルスが反転されて出力されるので、このパルスがローアクティブのパルスとしてトランジスタＱ１を駆動し、出力電圧Ｖｏが一定に制御される。
【発明の開示】
【発明が解決しようとする課題】
【０００８】
上記のようにスイッチングレギュレータの電源投入時には、出力電圧は一定の傾斜で上昇していくが、起動完了までの時間を短縮するためには出力電圧の立ち上がりの傾斜（Ｓ／Ｒ）を高くする必要がある。このＳ／Ｒを高くするには、過電流検知レベルを大きくすればよく、このように過電流検知レベルを大きくすると、スイッチング素子を流れる電流が大きくなるので、Ｓ／Ｒを高くすることができる。しかしながら、過電流検知レベルを大きくすると、定常状態に達するまで過大なスイッチング電流が流れるので、図９（ｇ）に示すように、スイッチングレギュレータの出力電圧にオーバーシュートが発生するという問題が生じる。
このように、負荷に供給される直流電源の電圧が規定の電圧より高くなる、オーバーシュートが生じると、負荷等に対して負担を与え、回路等の異常動作や破壊を招く恐れがあるため、過電流検知レベルを大きくすることが困難であった。
【０００９】
本発明は、上記の問題に鑑みてなされたもので、出力電圧にオーバーシュートが発生することなく、電源投入後から起動完了までの時間を短くすることができるスイッチングレギュレータを提供することを目的とする。
【課題を解決するための手段】
【００１０】
上述の目的を達成するため、本発明に係るスイッチングレギュレータ（１）は、
過電流検出手段と、
出力電圧に応じたパルス幅のパルスを発生するとともに、上記過電流検出手段の出力により制御されるパルス発生手段と、
上記パルス発生手段の出力により制御されるスイッチング手段とを備えたスイッチングレギュレータにおいて、
上記過電流検出手段が過電流検知レベル切替手段を備え、
上記過電流検知レベル切替手段がスイッチングレギュレータの出力電圧に応じて過電流検知レベルを切り替えることを特徴とする。
【００１１】
また、本発明に係るスイッチングレギュレータ（２）は、スイッチングレギュレータ（１）において、
上記スイッチングレギュレータの出力電圧を分圧する分圧手段を備え、
上記過電流検知レベル切替手段が上記分圧手段の出力により過電流検知レベルを切り替えることを特徴とする。
【００１２】
さらに、本発明に係るスイッチングレギュレータ（３）は、スイッチングレギュレータ（１）において、
上記パルス発生手段がスイッチングレギュレータの出力電圧と基準電圧との誤差を増幅する誤差増幅手段を備え、
上記過電流検知レベル切替手段が上記誤差増幅手段の出力により過電流検知レベルを切り替えることを特徴とする。
【００１３】
さらに、本発明に係るスイッチングレギュレータ（４）は、スイッチングレギュレータ（１）において、
上記パルス発生手段がスイッチングレギュレータの出力電圧と基準電圧との誤差を増幅する誤差増幅手段と、上記誤差増幅手段の出力と基準三角波信号とを比較する比較手段を備え、
上記過電流検知レベル切替手段が上記比較手段の出力により過電流検知レベルを切り替えることを特徴とする。
【００１４】
また、本発明に係るスイッチングレギュレータ（５）は、スイッチングレギュレータ（１）〜（４）のいずれかにおいて、
上記過電流検知レベル切替手段が、過電流検知レベルをステップ状に切り替えることを特徴とする。
【００１５】
さらに、本発明に係るスイッチングレギュレータ（６）は、スイッチングレギュレータ（１）〜（４）のいずれかにおいて、
上記過電流検知レベル切替手段が、過電流検知レベルを階段状に切り替えることを特徴とする。
【００１６】
さらに、本発明に係るスイッチングレギュレータ（７）は、スイッチングレギュレータ（１）〜（４）のいずれかにおいて、
上記過電流検知レベル切替手段が、過電流検知レベルを一定の傾きで変化させることを特徴とする。
【００１７】
さらに、本発明に係る  さらに、本発明に係るスイッチングレギュレータ（８）は、
上記過電流検知レベル切替手段が、過電流検知レベルを指数関数的に変化させることを特徴とする。
【００１８】
また、本発明に係るスイッチングレギュレータ（９）は、スイッチングレギュレータ（１）〜（４）のいずれかにおいて、
上記過電流検知レベル切替手段がスイッチングレギュレータの出力電圧に応じて過電流検知レベルを復帰させることを特徴とする。
【００１９】
さらに、本発明に係るスイッチングレギュレータ（１０）は、スイッチングレギュレータ（９）において、
上記スイッチングレギュレータの出力電圧を分圧する分圧手段を備え、
上記過電流検知レベル切替手段が上記分圧手段の出力により過電流検知レベルを復帰させることを特徴とする。
【００２０】
さらに、本発明に係るスイッチングレギュレータ（１１）は、スイッチングレギュレータ（９）において、
上記パルス発生手段がスイッチングレギュレータの出力電圧と基準電圧との誤差を増幅する誤差増幅手段を備え、
上記過電流検知レベル切替手段が上記誤差増幅手段の出力により過電流検知レベルを復帰させることを特徴とする。
【００２１】
さらに、本発明に係るスイッチングレギュレータ（１２）は、スイッチングレギュレータ（９）において、
上記パルス発生手段がスイッチングレギュレータの出力電圧と基準電圧との誤差を増幅する誤差増幅手段と、上記誤差増幅手段の出力と基準三角波信号とを比較する比較手段を備え、
上記過電流検知レベル切替手段が上記比較手段の出力により過電流検知レベルを復帰させることを特徴とする。
【００２２】
また、本発明に係るスイッチングレギュレータ（１３）は、スイッチングレギュレータ（９）〜（１２）のいずれかにおいて、
上記過電流検知レベル切替手段が、過電流検知レベルをステップ状に復帰させることを特徴とする。
【００２３】
さらに、本発明に係るスイッチングレギュレータ（１４）は、スイッチングレギュレータ（９）〜（１２）のいずれかにおいて、
上記過電流検知レベル切替手段が、過電流検知レベルを階段状に復帰させることを特徴とする。
【００２４】
さらに、本発明に係るスイッチングレギュレータ（１５）は、スイッチングレギュレータ（９）〜（１２）のいずれかにおいて、
上記過電流検知レベル切替手段が、過電流検知レベルを一定の傾きで復帰させることを特徴とする。
【００２５】
さらに、本発明に係るスイッチングレギュレータ（１６）は、スイッチングレギュレータ（９）〜（１２）のいずれかにおいて、
上記過電流検知レベル切替手段が、過電流検知レベルを指数関数的に復帰させることを特徴とする。
【発明の効果】
【００２６】
本発明に係るスイッチングレギュレータ（１）〜（４）によれば、電源投入時は過電流検知レベルを高めに設定しておき、スイッチングレギュレータの出力電圧が所定の電圧に近づいたことを、出力電圧自体または出力電圧の分圧出力、誤差電圧あるいはパルス発生回路の出力パルスにより検知して過電流検知レベルを下げることにより、電源投入直後のスイッチング電流を大きくすることができるので、出力電圧にオーバーシュートを発生させることなく、電源投入後から起動完了までの時間を短くすることができる。
【００２７】
また、本発明に係るスイッチングレギュレータ（５）〜（８）によれば、過電流検知レベルを様々な形で変えることができ、出力電圧の上昇波形の形状を変化させることができるので、スイッチングレギュレータの回路構成に応じて過電流検知レベルの切替波形を適宜選択することにより、所望の出力電圧特性を得ることができる。
【００２８】
さらに、本発明に係るスイッチングレギュレータ（９）〜（１２）によれば、スイッチングレギュレータの出力電圧が所定の電圧になったことを検知して過電流検知レベルを復帰させるので、定常動作時には所定の過電流検知レベルで保護動作を行なわせることができる。
【００２９】
また、本発明に係るスイッチングレギュレータ（１３）〜（１６）によれば、過電流検知レベルを様々な形で復帰させることができるので、上記と同様に、出力電圧の立ち上がり状態を変化させることができ、所望の出力電圧特性を容易に得ることができる。
【実施例】
【００３０】
以下、本発明のスイッチングレギュレータの実施例を図面により説明する。図１は本発明のスイッチングレギュレータの構成を示す図であり、このスイッチングレギュレータは、過電流検知回路１、スイッチング回路２、出力回路３、抵抗分圧回路４、パルス幅変調（ＰＷＭ）パルス発生回路５により構成されている。
過電流検知回路１は、スイッチング電流を検出する抵抗Ｒ１、増幅器１１、比較器１２及び過電流検知レベル切替回路１３よりなり、過電流検知レベル切替回路１３は出力回路３の出力電圧Ｖｏの大きさに応じて過電流検知レベルを切り替える。
【００３１】
スイッチング回路２は、ＰチャンネルのＭＯＳＦＥＴトランジスタＱ１とショットキーダイオードＤの直列回路よりなり、ショットキーダイオードＤは、トランジスタＱ１がオフしたときにコイルＬから流れ出た電流をコイルＬに転流させるフライホイールダイオードである。
また、出力回路３はコイルＬと電力用コンデンサＣよりなり、抵抗分圧回路４は抵抗Ｒ２とＲ３により構成されている。さらに、ＰＷＭパルス発生回路５は、抵抗分圧回路４の出力と基準電圧Ｖ２との誤差を増幅する誤差増幅器１４、基準三角波を発生する基準三角波発生回路１５、誤差増幅器１４の出力と基準三角波発生回路１５からの基準三角波とを比較する比較器１６、基準三角波の立ち上がり時にリセットされ、比較器１２の出力によりセットされるフリップフロップ（Ｆ−Ｆ）回路１７およびフリップフロップ回路１７の反転出力と比較器１６の出力が入力されるＮＡＮＤゲート回路１８により構成されている。
【００３２】
図１に示すスイッチングレギュレータにおいて、過電流検知レベル切替回路１３には出力回路３からの出力電圧Ｖｏが入力されており、この過電流検知レベル切替回路１３は出力電圧Ｖｏに応じて比較器１２に入力する過電流検知レベルを切り替える。そして、スイッチング回路２のトランジスタＱ１に流れるスイッチング電流、すなわち、コイル電流が抵抗Ｒ１により検出され増幅器１１を介して比較器１２に入力され、過電流検知レベル切替回路１３からの過電流検知レベルを超えると、比較器１２の出力がハイレベルとなる。
【００３３】
一方、出力回路３の出力端子の出力電圧Ｖｏは抵抗分圧回路４により分圧され、この抵抗分圧回路４の出力が誤差増幅器１４に入力され、基準電圧Ｖ２と抵抗分圧回路４の出力との誤差電圧が誤差増幅器１４から出力される。この誤差電圧と基準三角波発生回路１５からの基準三角波が比較器１６に入力されるので、誤差電圧で基準三角波がスライスされ、スライスされた幅のＰＷＭパルスが比較器１６から出力される。
【００３４】
また、フリップフロップ回路１７は基準三角波の立ち上がりでリセットされるとともに、比較器１２の出力によりセットされる。このフリップフロップ回路１７の出力が比較器１６の出力パルスとともにＮＡＮＤ回路１８入力され、ＮＡＮＤ回路１８の出力によりトランジスタＱ１がオン／オフされる。これにより、抵抗分圧回路４により分圧された電圧が基準電圧Ｖ２に一致するようにトランジスタＱ１がオン／オフ制御されて出力電圧Ｖｏが一定電圧に制御される。
【００３５】
次に、図１のスイッチングレギュレータの電源投入時の作用を図２の波形図を用いて詳細に説明する。
スイッチングレギュレータの電源をオンにすると、出力回路３の出力電圧Ｖｏは図２（ｇ）に示すように徐々に大きくなるが、電源をオンにした当初は誤差増幅器１４の出力は図２（ｅ）に示すように低い状態にあるので、比較器１６の出力は図２（ｄ）に示すように、ハイレベルを保った状態にある。一方、電源オンの当初はトランジスタＱ１に流れる電流、すなわち、スイッチング電流が、図２（ｂ）に示すように大きいので、このスイッチング電流が図２（ｆ）に示す過電流検出レベルＩo1以上になると、過電流検知回路１の比較器１２がハイレベルを出力し、これによってフリップフロップ回路１７がセットされ、図２（ｃ）に示すように、その反転出力がローレベルに切り替わり、ＮＡＮＤ回路１８の出力がハイレベルとなってトランジスタＱ１をオフし、三角波の次の周期でフリップフロップ回路１７がリセットされるまでトランジスタはオフし続ける。このように、電源オンの当初はフリップフロップ回路１７の反転出力に同期してトランジスタＱ１がオン／オフする。
【００３６】
そして、出力電圧Ｖｏが大きくなり、図２（ｇ）に示す電圧Ｖo1になると、過電流検知レベル切替回路１３がこれを検出して、図２（ｆ）に示すように過電流検知レベルをＩ01からＩ03に切り替え、過電流検知レベルを小さくする。これにより、図２（ｂ）に示すように、スイッチング電流が小さくなる。そして、出力電圧Ｖｏがさらに大きくなり、電圧Ｖo2になると、過電流検知レベル切替回路１３がこれを検出して、図２（ｆ）に示すように過電流検知レベルをＩ03からＩ02に切り替え、過電流検知レベルを定常時の過電流検知レベルに切り替える。
【００３７】
一方、出力電圧Ｖｏが大きくなり、誤差増幅器１４からの誤差出力が大きくなると、図２（ｄ）に示すように、比較器１６から誤差出力に応じたパルス幅のパルスが出力される。また、出力電圧Ｖｏが大きくなると、スイッチング電流は過電流検知レベルＩ02以下となり、比較器１２は常にハイレベルを出力する状態となるので、フリップフロップ回路１７はリセットされたままとなり、その反転出力は図２（ｃ）に示すようにハイレベルの状態を維持する。したがって、ＮＡＮＤ回路１８からは比較器１６の出力パルスが反転されたパルスが出力され、誤差電圧の大きさに応じたパルス幅のパルスにより、トランジスタＱ１がオン／オフされるので、出力電圧Ｖｏの大きさが一定の電圧値に制御される。
【００３８】
このように、スイッチングレギュレータの電源投入当初は過電流検知レベルを大きい値とし、スイッチングレギュレータの出力電圧が所定の大きさまでなったときに、過電流検知レベルを小さい値にすることにより定常状態到達の直前のスイッチング電流を小さくすることができるので、出力電圧のオーバーシュートを防止することができる。また、スイッチングレギュレータの電源投入当初の過電流検知レベルを定常状態の過電流検知レベルより大きくすることにより、電源投入当初のスイッチング電流を大きくすることができるので、出力電圧の立ち上がりを早くすることができ、起動時間を短くすることが可能となる。
【００３９】
上記の実施例では、過電流検知レベルを図３（ａ）に示すようにステップ状に切り替えたが、図３に示すように、階段状（ｂ）、一定の傾き（ｃ）、指数関数的（ｄ）等、任意の形で過電流検知レベルを下げることが可能である。また、過電流検知レベルの復帰時についても、図４に示すように、ステップ状、階段状、一定の傾き、指数関数的等、任意の形で過電流検知レベルを復帰させることが可能である。
このように、過電流検知レベルの下降時及び復帰時の形状を変えることにより、出力電圧の上昇波形を任意に変更することができるので、スイッチングレギュレータの回路構成に応じて過電流検知レベルの変化形状を適宜選択することにより、所望の出力電圧形状を得ることができる。
【００４０】
また、上記の実施例では、出力回路３の出力電圧Ｖｏの大きさに応じて、過電流検知レベルを切り替えたが、抵抗分圧回路４の出力、誤差増幅器１４の出力、比較器１６からの出力パルス等によって過電流検知レベルを切り替えることも可能である。
図５は抵抗分圧回路４の出力電圧によって過電流検知レベルを切り替えるようにしたスイッチングレギュレータの実施例を示す図であり、図に示すように、抵抗分圧回路３の分圧出力が過電流検知レベル切替回路１３に入力されており、過電流検知レベル切替回路１３は出力電圧Ｖｏを抵抗Ｒ２、Ｒ３により分圧した出力により、出力電圧Ｖｏの大きさを検知して過電流検知レベルを切り替える。なお、このスイッチングレギュレータの電源投入時の動作は図１のスイッチングレギュレータと同様であるので、詳細については省略する。
【００４１】
また、図６は誤差増幅器１４の出力電圧によって過電流検知レベルを切り替えるようにしたスイッチングレギュレータの実施例を示す図であり、誤差増幅器１４の出力が過電流検知レベル切替回路１３に入力されている。
誤差増幅器１４の出力は、出力電圧Ｖｏが大きくなるにつれて発生し、その値は出力電圧Ｖｏと基準電圧Ｖ２との差に比例しているので、過電流検知レベル切替回路１３はこの誤差増幅器１３の出力により出力電圧Ｖｏの大きさを検知し、過電流検知レベルを切り替える。
【００４２】
さらに、図７は比較器１６からの出力パルスによって過電流検知レベルを切り替えるスイッチングレギュレータの実施例を示す図であり、比較器１６の出力パルスが過電流検知レベル切替回路１３に入力されている。
比較器１６は出力電圧Ｖｏが大きくなると、パルスの発生を開始するので、過電流検知レベル切替回路１３はこのパルスの発生を検出することにより、過電流検知レベルを切り替える。
【００４３】
なお、以上の実施例では、出力電圧Ｖｏ、抵抗分圧回路４の出力、誤差増幅器１４の出力、あるいは、比較器１６からの出力パルスによって過電流検知レベルの降下及び復帰の両方を切り替えるようにしているが、過電流検知レベルの降下は抵抗分圧回路４の出力によって行い、過電流検知レベルの復帰は誤差増幅器１４の出力によって行う等、種々の組み合わせを採用することが可能である。
また、上記の実施例では、スイッチングレギュレータの電源投入直後の過電流検知レベルＩ01と定常時の過電流検知レベルＩ02を異ならせて、スイッチングレギュレータの出力電圧の立ち上がりを早めたが、Ｉ01とＩ02を同じ値とすることにより、過電流検知レベル切替回路の構成を簡単にすることも可能である。
【図面の簡単な説明】
【００４４】
【図１】本発明のスイッチングレギュレータの実施例を示す図である。
【図２】図１のスイッチングレギュレータの電源投入時の動作波形を示す図である。
【図３】過電流検知レベルの降下時の波形形状の種々の例を示す図である。
【図４】過電流検知レベルの復帰時の波形形状の種々の例を示す図である。
【図５】本発明のスイッチングレギュレータの他の実施例を示す図である。
【図６】本発明のスイッチングレギュレータのさらに他の実施例を示す図である。
【図７】本発明のスイッチングレギュレータのさらに他の実施例を示す図である。
【図８】従来のスイッチングレギュレータを示す図である。
【図９】図８のスイッチングレギュレータの電源投入時の動作波形を示す図である。
【符号の説明】
【００４５】
１  過電流検知回路
２  スイッチング回路
３  出力回路
４  抵抗分圧回路
５  ＰＷＭパルス発生回路
１１  増幅器
１２、１６  比較器
１３  過電流検知レベル切替回路
１４  誤差増幅器
１５  基準三角波発生回路
１７  フリップフロップ（Ｆ−Ｆ）回路
１８  ＮＡＮＤ回路
【図１】
2005198401.tif 000003
【図２】
2005198401.tif 000004
【図３】
2005198401.tif 000005
【図４】
2005198401.tif 000006
【図５】
2005198401.tif 000007
【図６】
2005198401.tif 000008
【図７】
2005198401.tif 000009
【図８】
2005198401.tif 000010
【図９】
2005198401.tif 000011